(57)【要約】      （修正有）【課題】携帯電話が着信した際に周囲の劣悪な環境を気にすることなく通話できるようにする。【解決手段】携帯電話の入った防水ケースを作業場所近くに置くことで、非常事態に対する対応が迅速に行える様にする。この防水ケースはその表面に防水式のスイッチを配し、防水タイプの受話器を接続することで、防水ケースから携帯電話を取り出すことなく通話が可能とする。また防水ケース表面に配した非常スイッチを押すことで防水ケース内にある、携帯電話と接続されたコンピュータが非常事態の通報を行えるようにし、非常事態に対する対応が万全となる。【選択図】図１
2008104132.tif 000002
【特許請求の範囲】
【請求項１】
携帯電話の制御が可能なコンピュータ基板を作成し、このコンピュータ基板を携帯電話と接続することにより、携帯電話の一連の操作および接続周辺機器からのデータ収集をこのコンピュータ基板から行うことを目的としたコンピュータ基板。
【請求項２】
コンピュータ基板と携帯電話を接続した状態で同一の防水ケースに入れ、基板の操作を防水ケース表面に設置されたスイッチで行うことにより携帯電話の操作を劣悪な環境でも行うことが可能とする前述の［請求項１］を格納する防水ケース。
【請求項３】
劣悪な環境の元で携帯電話による会話を可能とする目的で、前述の［請求項２］の防水ケースに接続された防水式の送受話器。
【請求項４】
所定の通報を行うことを目的とした通信を行うスイッチを設置し、非常時にそのスイッチを一度押すことで目的の通報先に所定の内容の通報可能とする、［請求項２］の防水ケース上に設置されたスイッチ。
【請求項５】
当該非常用通信を受信するセンターを設置することで、前述の［請求項４］の非常通信機能を利用し、携帯電話にて行われる非常時通報に対応して適切な処理を行うことを可能とするセンターを運営するビジネスモデル。
【発明の詳細な説明】
【技術分野】
【０００１】本発明は携帯電話の使用に適さない劣悪な環境下で、正確に目的の相手に対して通話もしくは通信を行うための、劣悪な環境に耐える防水ケースとその防水ケース上に配置された操作ボタン、およびそれらの操作によって提供されるサービスに関する。
【背景技術】
【０００２】従来の技術としては、携帯電話をビニール等の軟材料で出来た防水ケースに入れ、その軟材料のケースの外から携帯電話を操作するものが殆どである。（たとえば、特許公開２００４−１３６０４４）
また携帯電話を使用した非常用通報システムは、携帯電話の所定のキーを押すことにより事前に登録された場所に迅速に所定のデータを送ることを目的としたものが大部分である。
【発明の開示】
【発明が解決しようとする課題】
【０００３】一般に携帯電話の使用に適さない劣悪な環境下では、携帯電話の使用者も手袋等の護身具をつけている場合が多く、その状態で携帯電話の操作を行うことは困難である。特に従来の軟材料で保護する形式の防水ケースの場合、手袋等の護身具をつけた状態での操作は非常に困難である。【０００４】非常用通報を行う場合にも同様のことが言え、緊急を要する際に携帯電話の比較的小さなボタンを迅速かつ正確に押すことは非常に困難であり、誤操作の原因となる。特に前述の劣悪な環境下で護身具をつけた状態での非常用通報は困難を極めると考えられる。【０００５】かかる困難な状態での非常用通報を行った場合でも、通報を受ける側が不在であるなどの理由により一連の非常用通報が意味を成さない場合も存在すると考えられる。【０００６】また非常用通報に関しては、非常事態が発生した場所の位置情報も重要になる場合が多い。このため非常事態の通知とともに非常事態の発生場所を正確に通知する必要がある。
【課題を解決するための手段】
【０００７】これらの問題を解決するべく、携帯電話を制御することが可能なコンピュータ基板を作成し、このコンピュータ基板を携帯電話と接続することにより、携帯電話の一連の操作をこのコンピュータ基板から行うことを目的としたコンピュータ基板を作成し、このコンピュータ基板と携帯電話を接続した状態で同一の防水ケースに入れ、基板の操作を防水ケース表面に設置されたスイッチで行うことにより携帯電話の操作を劣悪な環境でも行うことを可能とする。
また防水タイプの受話器をこの防水ケースに接続を行うことで劣悪な環境下での通話を可能とする。
非常用通報に関しては、防水ケースの表面に非常用通報ボタンを設置し、そのボタンを押すことで、防水ケース内のコンピュータに登録した所定の手順で目的の通報先に迅速かつ正確に非常用通報を行うことが可能となる。
この非常用通報に際しては、コンピュータ基板にＧＰＳ等の位置検知装置の接続が可能とし、非常事態の発生した位置も同時に通報可能とする・
このような手段により行われた非常用通報については、その通報を受けるセンターを設置し、通報の内容に応じた対応を行う。
【発明の効果】
【０００８】本発明の防水ケースを携帯電話の使用者の作業場所の近辺に設置することで、携帯電話が着信した際に周囲の劣悪な環境を気にすることなく通話が可能となる。その際作業用の手袋などを外す必要が無いため迅速な対応が可能となる。【０００９】同様に発信を行う際にも、防水ケースの表面の大きなスイッチを使用することから、作業用の手袋などを外す必要が無く、正確かつ迅速に目的の相手と通話を行うことが可能となる。【００１０】防水ケース内に設置されたコンピュータに発信先を登録し、防水ケース表面にその発信先を自動的に呼び出すスイッチ（ショートカットスイッチ）を付ける事により、スイッチを一回押す動作だけで目的の発信先との通話もしくは通信が可能になる。またその通信に現在位置の座標を同時送信が可能である。【００１１】かかる装置を利用して通信を行う場合のうち、緊急を要するものに関しては、その通信先として緊急通信受信センターを設置し受信した内容に応じて適切な対処を行う。
【発明を実施するための最良の形態】
【００１２】この発明が想定しているのは、沿岸での単独操業を行う漁船での使用である。
現在日本の漁船数は３３３，４４５隻（平成１５年度：農林水産省の統計による）で、そのうち沿岸や内海で漁業を行う無動力船及び４．９トン未満の漁船は、３０１，９９５隻と全体の９０％以上を占める。これらの沿岸漁業の漁船の陸地との通信手段は大部分が携帯電話である。また漁業従事者は大部分が操船と操業を単身で行っており、海上では作業中のため通常厚手のゴム手袋などを常時装着している。このため携帯電話の着信に迅速に対応できず、また通話も困難であり、操業中の大型船との衝突などの事故発生時や体調不良に陥った際に迅速かつ正確な携帯電話による通報は困難なため、通報不可能や通報遅れによる事故の拡大が懸念されている。
本発明はこれらの問題をすべて解決し、迅速かつ正確な携帯電話の操作と事故発生箇所の位置情報の正確な通信を保障するものである。
【実施例１】
【００１３】漁業従事者が通常使用する携帯電話を、本発明で提供される防水ケースに格納し、防水ケース内に設置されているコンピュータ基板と接続する。携帯電話に電話が着信した場合の会話は防水ケースに接続された防水型の受話器で行う。また防水ケース表面には３個程度の防水タイプのスイッチがあり、そのスイッチを押すことで決められた相手への接続をコンピュータが行う。これらの受話器、スイッチは厚手のゴム手袋を装着したままでも操作できるように大型になっている。
【実施例２】
【００１４】非常事態が発生した場合は防水ケース上に設置された非常ボタンを押すことで、所定の相手に現在位置と非常事態である旨のメールの送信が行われる。
【実施例３】
【００１５】非常事態に対応するセンターが設置されている場合は、センター職員が最寄の海上保安庁に及び漁業協同組合に連絡を行い対応する。
【図面の簡単な説明】
【図１】に本発明のシステム構成を示す。図は防水ケース側と受信センター側からなる。
【図１】
2008104132.tif 000003